(57)【要約】【課題】可動盤面部品を、単純動作する本体部分と、本体部分に付設されて本体部分の動作変化に応じて出没、開閉動作することにより可動盤面部品の全体形状に大きな変化を与える開閉部材と、から構成した装飾体ユニット、遊技盤、及びパチンコ遊技機を提供する。【解決手段】遊技盤面に沿って配置された装飾体を備えた装飾体ユニット３０であって、前記装飾体は、遊技盤面に配置された主装飾部材３２と、該主装飾部材の外径方向に配置された少なくとも一つの可動装飾部材４０、６０と、を備え、可動装飾部材は、少なくとも２つの分割可動装飾片を備え、各分割可動装飾片は主装飾部材の外径方向へ退避した離間位置と、該離間位置から内径側に移動して該主装飾部材に近接した近接位置との間を進退自在に構成されている。【選択図】図４
2010022433.tif 000002
【特許請求の範囲】
【請求項１】
遊技盤面に沿って配置された装飾体を備えた装飾体ユニットであって、
前記装飾体は、前記遊技盤面に配置された主装飾部材と、該主装飾部材の外径方向に配置された少なくとも一つの可動装飾部材と、を備え、
前記可動装飾部材は、少なくとも２つの分割可動装飾片を備え、各分割可動装飾片は前記主装飾部材の外径方向へ退避した離間位置と、該離間位置から内径側に移動して該主装飾部材に近接した近接位置との間を進退自在に構成されていることを特徴とする装飾体ユニット。
【請求項２】
前記各分割可動装飾片は、前記離間位置にあるときには前記遊技盤上の可視領域から退避しており、前記近接位置にあるときには該可視領域内に進入することを特徴とする請求項１に記載の装飾体ユニット。
【請求項３】
前記可動装飾部材は、前記主装飾部材を間に挟んで内外径方向へ進退自在に支持された２つの第１分割可動装飾片と、該各第１分割可動装飾片を進退させる駆動機構と、該第１分割可動装飾片及び該駆動機構を支持する支持部材と、から成り、
前記駆動機構は、一方の第１分割可動装飾片に固定された第１のラックギヤと、他方の第１分割可動装飾片に固定されて前記第１のラックギヤと平行に配置された第２のラックギヤと、前記第１及び第２のラックギヤ間に位置固定で配置されたピニオンギヤと、から構成されていることを特徴とする請求項１、又は２に記載の装飾体ユニット。
【請求項４】
前記可動装飾部材は、前記主装飾部材を間に挟んで内外径方向へ進退自在に支持された３つ以上の第２分割可動装飾片と、該各第２分割可動装飾片を進退させる駆動機構と、該第２分割可動装飾片及び該駆動機構を支持する支持部材と、から成り、
前記駆動機構は、各第２分割可動装飾片から突出したピンを嵌合して内外径方向へガイドするために前記支持部材に形成されたガイドスリットと、該ピンに遊嵌する長穴を一端部に有したリンク片と、該リンク片の他端部を回動自在に軸支するために前記支持部材に設けた軸支部と、該リンク片の該軸支部側に一体化されたギヤ部材と、駆動源により回転駆動され該ギヤ部材と噛合する駆動ギヤと、を備えていることを特徴とする請求項１乃至３の何れか一項に記載の装飾体ユニット。
【請求項５】
前記第２分割可動装飾片は、互いに相対動作可能、且つ分離不能な状態で係合し合った複数個の可動装飾小片から成り、前記各可動装飾小片から夫々突設したピンを前記ガイドスリット内に嵌合し、
一つの前記可動装飾小片を前記リンク片の長穴に遊嵌し、該一つの可動装飾小片の進退動作に他の可動装飾小片を連動させるように構成したことを特徴とする請求項４に記載の装飾体ユニット。
【請求項６】
請求項１乃至５の何れか一項に記載の装飾体ユニットを備えたことを特徴とする遊技盤。
【請求項７】
請求項６に記載の遊技盤を備えたことを特徴とするパチンコ遊技機。
【発明の詳細な説明】
【技術分野】
【０００１】
本発明は、パチンコ遊技機を構成する遊技盤面上において種々動作することによって遊技進行上特徴的な演出効果を発揮するように構成された装飾体を備えた装飾体ユニット、遊技盤、及びパチンコ遊技機に関する。
【背景技術】
【０００２】
パチンコ遊技機においては、遊技盤の盤面に入賞口、風車、画像表示装置、電飾装置等の各種盤面部品を設けて遊技内容の多様性を図っている。例えば、遊技の進行中における入賞、その他の状況変化を契機として可動盤面部品（装飾体）を種々の方向に動作させることにより演出効果を高めている。
例えば、遊技盤に設けられた始動入賞口に遊技球が入賞すると、遊技盤中の画像表示装置に表示される図柄が変動を開始し、所定時間経過後に停止した図柄が予め定めた大当たり図柄となった場合に大当たり状態となり、遊技者が大量の出球を獲得できるようになっている。このような遊技機では、遊技の興趣を高めるために様々な表示演出が行われる。
例えば、特許文献１には、大当たりになると画像表示装置の表示内容に連動して役物を左右に動作させる構成が開示されている。また、特許文献２には、図柄が所定の組合せになると、役物を遊技盤の前後方向に移動させる構成が開示されている。
【特許文献１】特開２００４−１９５０８４公報
【特許文献２】特開平０６−００７５０９号公報
【発明の開示】
【発明が解決しようとする課題】
【０００３】
以上のように従来の可動盤面部品を進退動作させる機構にあっては、左右方向、或いは前後方向に単純に動作させたり、遊技盤の視認可能領域外にあった盤面部品が視認可能な領域内に出現するという程度の単純な変化に過ぎないため、可動盤面部品の動作量や動作タイミングに変化を付与したとしても変化に乏しい内容となり易く、遊技者に退屈感を与え、興趣を低下させるという問題があった。
本発明は上記に鑑みてなされたものであり、可動盤面部品（装飾体）を、単純動作する本体部分と、本体部分に付設されて本体部分の動作変化に応じて出没、開閉動作することにより可動盤面部品の全体形状に大きな変化を与える開閉部材と、から構成した装飾体ユニット、遊技盤、及びパチンコ遊技機を提供するものである。
【課題を解決するための手段】
【０００４】
上記目的を達成するため、請求項１の発明に係る装飾体ユニットは、遊技盤面に沿って配置された装飾体を備えた装飾体ユニットであって、前記装飾体は、前記遊技盤面に配置された主装飾部材と、該主装飾部材の外径方向に配置された少なくとも一つの可動装飾部材と、を備え、前記可動装飾部材は、少なくとも２つの分割可動装飾片を備え、各分割可動装飾片は前記主装飾部材の外径方向へ退避した離間位置と、該離間位置から内径側に移動して該主装飾部材に近接した近接位置との間を進退自在に構成されていることを特徴とする。
主装飾部材と関連のある形状、絵柄を備えた分割可動装飾片を主装飾部材の外径方向に配置して接近、離間させるように構成したので、主装飾部材単独では得られない形状変化による遊技内容の多様性、意外性を実現し、遊技の興趣を高めることができる。装飾体は、遊技盤面の前方に配置される場合と、遊技盤面に設けた開口内、或いは開口の後方に配置される場合がある。更に、遊技盤がアクリル盤等の透明な材料から構成される場合には、遊技盤面の後方に装飾体が配置される場合もある。
請求項２の発明に係る装飾体ユニットは、請求項１において、前記各分割可動装飾片は、前記離間位置にあるときには前記遊技盤上の可視領域から退避しており、前記近接位置にあるときには該可視領域内に進入することを特徴とする。
遊技状態が変化した際に視界外にあった分割可動装飾片が視界内に出現して主装飾部材を装飾して全体的な形状を変化させ、面積を増大させるので、遊技者にとって変化に富んだ遊技内容とすることができる。
【０００５】
請求項３の発明に係る装飾体ユニットは、請求項１、又は２において、前記可動装飾部材は、前記主装飾部材を間に挟んで内外径方向へ進退自在に支持された２つの第１分割可動装飾片と、該各第１分割可動装飾片を進退させる駆動機構と、該第１分割可動装飾片及び該駆動機構を支持する支持部材と、から成り、前記駆動機構は、一方の第１分割可動装飾片に固定された第１のラックギヤと、他方の第１分割可動装飾片に固定されて前記第１のラックギヤと平行に配置された第２のラックギヤと、前記第１及び第２のラックギヤ間に位置固定で配置されたピニオンギヤと、から構成されていることを特徴とする。
請求項４の発明に係る装飾体ユニットは、請求項１乃至３の何れか一項において、前記可動装飾部材は、前記主装飾部材を間に挟んで内外径方向へ進退自在に支持された３つ以上の第２分割可動装飾片と、該各第２分割可動装飾片を進退させる駆動機構と、該第２分割可動装飾片及び該駆動機構を支持する支持部材と、から成り、前記駆動機構は、各第２分割可動装飾片から突出したピンを嵌合して内外径方向へガイドするために前記支持部材に形成されたガイドスリットと、該ピンに遊嵌する長穴を一端部に有したリンク片と、該リンク片の他端部を回動自在に軸支するために前記支持部材に設けた軸支部と、該リンク片の該軸支部側に一体化されたギヤ部材と、駆動源により回転駆動され該ギヤ部材と噛合する駆動ギヤと、を備えていることを特徴とする。
請求項５の発明に係る装飾体ユニットは、請求項４において、前記第２分割可動装飾片は、互いに相対動作可能、且つ分離不能な状態で係合し合った複数個の可動装飾小片から成り、前記各可動装飾小片から夫々突設したピンを前記ガイドスリット内に嵌合し、一つの前記可動装飾小片を前記リンク片の長穴に遊嵌し、該一つの可動装飾小片の進退動作に他の可動装飾小片を連動させるように構成したことを特徴とする。
請求項６の発明に係る遊技盤は、請求項１乃至５の何れか一項に記載の装飾体ユニットを備えたことを特徴とする。
請求項７の発明に係るパチンコ遊技機は、請求項６に記載の遊技盤を備えたことを特徴とする。
【発明の効果】
【０００６】
以上のように本発明では、装飾体を、主装飾部材と、主装飾部材の外径方向に配置された少なくとも一つの可動装飾部材と、を備え、可動装飾部材は、少なくとも２つの分割可動装飾片を備え、各分割可動装飾片は前記主装飾部材の外径方向へ退避した離間位置と、該離間位置から内径側に移動して該主装飾部材に近接した近接位置との間を進退することにより、装飾体ユニットの全体形状に大きな変化を与えることができるので、遊技内容に著しい変化をもたらし、遊技者が退屈感を抱くことを防止できる。
【発明を実施するための最良の形態】
【０００７】
以下、本発明を図面に示した実施の形態により詳細に説明する。
図１は、本発明の実施形態に係るパチンコ遊技機の一例を示した全体正面図である。
この図に示すパチンコ遊技機１は、矩形形状の枠２を有し、この枠２の窓孔に対して裏側から遊技盤３が着脱可能に取り付けられている。
遊技盤３の前面側には、図示しないガラス枠が開閉可能に取り付けられている。また遊技盤３の下部には遊技球を貯留する受け皿部４と、受け皿部４内の遊技球を発射する発射レバー５等が設けられている。また、受け皿部４の上部には遊技機用ボタンスイッチや、遊技球の購入ボタン、購入取り消しボタンが設けられている。
遊技盤の裏面には、液晶画面、主制御基板とサブ制御基板等、遊技の進行、演出に関わる裏部品を組み付けた合成樹脂製の機構板（何れも図示せず）が開閉自在に装着されている。遊技盤３における遊技領域３ａの周囲には、発射レバー５を操作することにより発射装置から発射された遊技球を遊技領域３ａの上部に案内したり、アウト口１５に案内する外レールＲ１、及び内レールＲ２が設けられている。
遊技盤３のほぼ中央部には開口部６が設けられ、開口部６の内部には画像表示装置７が配置されている。画像表示装置７は、例えば、液晶表示装置等の液晶表示パネルによって構成され、通常動作状態の時は、図示しない特別図柄画像が表示される。また、いわゆる特別遊技状態の時は、特別遊技状態であることを示す演出画像等が表示される。
【０００８】
開口部６の下方には、画像表示装置７の特別図柄を可変表示させるための可変入賞装置８が設けられている。
開口部６の左右両側には夫々遊技盤３の盤面上を流下する遊技球を受けるステージ部９が設けられている。ステージ部９に案内された遊技球のうち、ステージ部の所定の入口に入った遊技球は、始動入賞口１１の真上に位置する出口から遊技盤面へと出て始動入賞口１１に入賞し易くなり、残りの遊技球はステージ部９上から落下し、多くの場合始動入賞口１１に入賞しない。
また、開口部６の左側には、遊技盤の右下部に配置された図示しない普通画像表示装置に表示される普通図柄を作動させるためのゲート１３が設けられている。さらに可変入賞装置８の下方には、特別遊技状態の一つである大当たり状態のときに開成状態になる開閉扉を有する大入賞口１４が設けられている。
遊技盤３には図示しない普通入賞口やアウト口１５等が設けられていると共に、風車や図示しない多数の遊技釘が突設されている。遊技釘は、遊技球の落下速度を遅くすると共に、落下方向を複雑に変化させて遊技進行上の興趣を高めている。
【０００９】
普通図柄表示装置に表示される普通図柄は、１個または複数個の図柄を変動表示可能であり、普通図柄始動口としてのゲート１３が遊技球を検出することを条件に、その図柄が乱数制御等により所定時間可変して停止するようになっている。
普通図柄としては、数字図柄、アルファベット図柄、キャラクター図柄、その他の適宜の遊技図柄が使用される。そして、ゲート１３を遊技球が通過したことを条件に乱数制御により普通図柄が所定態様となった場合に、可変入賞装置８に設けられた電動式チューリップから成る可動片を所定時間、開成動作するように構成されている。
画像表示装置７に表示される特別図柄は、停止図柄が予め定められた図柄の組合せ、例えば同一図柄の組合せとなった場合に大当たり状態となるように構成されている。また特別図柄は可変入賞装置８の始動入賞口、又は電動式チューリップの開成動作により遊技球が誘導される下始動口（図示していない）において遊技球を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当たり状態が発生する。なお、特別図柄としては、数字図柄、アルファベット図柄、キャラクター図柄等が使用可能である。
画像表示装置７の上方には、可動役物２０と、本発明に係る装飾体ユニット３０が配置されている。
可動役物２０は、「水戸黄門」という文字を象った部材からなり、また、装飾体ユニット３０は、三つ葉葵の紋章を象った正面視円盤状の構成を有している。
【００１０】
図２（ａ）及び（ｂ）は可動役物が閉止した状態、及び開放した状態を夫々示す正面図である。可動役物２０は、遊技盤３の左右方向（幅方向）に往復移動可能であり、互いに接近、離間する左右一対の開閉部材２１、２２からなる。左側の開閉部材２１は「水戸」の文字部材からなり、右側の開閉部材２２は「黄門」の文字部材からなる。可動役物２０は、非作動時（全閉時）には、図２（ａ）に示すように、一対の開閉部材２１、２２が接近した状態となり、また、作動時（全開時）には、図２（ｂ）に示すように、一対の開閉部材２１、２２が離間した状態となる。また、一対の開閉部材２１、２２は、単に全開状態と全閉状態の２つの態様をとるのみでなく、小刻みに開方向への移動と閉方向への移動を交互に繰り返す動作をとる場合もある。
【００１１】
図３（ａ）及び（ｂ）は本発明の一実施形態に係る装飾体ユニットの全体構成を示す斜視透視図、及び装飾体ユニットの側面図であり、図４（ａ）及び（ｂ）は本発明の一実施形態に係る装飾体ユニットの構成及び動作説明図であり、図５は駆動機構の説明図である。
装飾体ユニット３０は、遊技盤３の盤面に沿って配置された装飾体３１と、駆動機構５０、７０と、を備えている。装飾体３１は、遊技盤面の前方に配置される場合と、遊技盤面に設けた開口内、或いは開口の後方に配置される場合がある。更に、遊技盤がアクリル盤等の透明な材料から構成される場合には、遊技盤面の後方に装飾体３１が配置される場合もある。
装飾体３１は、遊技盤面３上に配置されて正面に三つ葉葵の紋章を象った主装飾部材３２と、主装飾部材３２の外径方向に配置された少なくとも一つ、本例では第１及び第２の可動装飾部材４０、６０と、を備えている。
第１の可動装飾部材４０は、少なくとも２つの分割可動装飾片（第１分割可動装飾片）４１Ａ、４１Ｂ、及びこれらを駆動する第１の駆動機構５０を含み、各分割可動装飾片４１Ａ、４１Ｂは主装飾部材３２の外径方向へ退避した離間位置（図４（ｂ））と、該離間位置から内径側に移動して主装飾部材３２に近接した近接位置（図４（ａ））との間を左右方向へ進退自在に構成されている。
【００１２】
各分割可動装飾片（第１分割可動装飾片）４１Ａ、４１Ｂは、例えば図４（ｂ）に示した離間位置にあるときには遊技盤３上の可視領域から退避しており、近接位置にあるときには該可視領域内に進入するように構成する。遊技者の視界外にあった分割可動装飾片が視界内に出現して主装飾部材を装飾して全体的な形状を変化させ、面積を増大させるので、遊技者にとって変化に富んだ遊技内容とすることができる。
第１の可動装飾部材４０は、分割可動装飾片４１Ａ、４１Ｂ及び第１の駆動機構５０を支持する支持部材４５Ａ、４５Ｂ（縦長長方形の部材）を含む。支持部材４５Ａ、４５Ｂは夫々から突設したピン４５Ａ｀、４５Ｂ｀を遊技盤３に設けたスリット３Ａ、３Ａに嵌合させることにより、左右方向へ開閉自在に支持されており、図４（ａ）は閉止位置、（ｂ）は開放位置を示している。一方の分割可動装飾片４１Ａは一方の支持部材４５Ａと一体化され、他方の分割可動装飾片４１Ｂは他方の支持部材４５Ｂと一体化されている。本例では、最前面に位置する遊技盤３の背面側に各支持部材４５Ａ、４５Ｂが開閉自在に支持されており、遊技盤３に設けた透明部を通して装飾体３１の主要部が前方から視認可能となっている。
なお、遊技盤３はアクリル等の透明樹脂から構成してもよいし、ベニヤ板からなる遊技盤の一部を透明材料にて構成したものであってもよい。
【００１３】
第１の駆動機構５０は、支持部材４５Ａを介して一方の分割可動装飾片４１Ａに固定された第１のラックギヤ５１と、他方の分割可動装飾片４１Ｂに固定されて第１のラックギヤ５１と平行に配置された第２のラックギヤ５２と、第１及び第２のラックギヤ間に相当する遊技盤面に位置固定で回転自在に配置されたピニオンギヤ５４と、ピニオンギヤ５４を回転駆動する図示しないモータと、から構成されている（図５）。
図４（ａ）に示したように分割可動装飾片（第１分割可動装飾片）４１Ａ、４１Ｂが閉止位置にあるときに、図示しないモータを駆動してピニオンギヤ５４を開放方向へ回転させると、図４（ｂ）に示したように第１及び第２のラックギヤ５１、５２が互いに離間する外側方向へ移動し、分割可動装飾片４１Ａ、４１Ｂを開放させる。ピニオンギヤ５４を逆方向に回転させると、図４（ａ）のように分割可動装飾片４１Ａ、４１Ｂは閉止位置に移動する。
【００１４】
図６（ａ）及び（ｂ）は第２の可動装飾部材の閉止状態、及び開放状態を示す正面図であり、図７（ａ）及び（ｂ）は第２の可動装飾部材の閉止状態、及び開放状態を示す背面図であり、図８（ａ）（ｂ）及び（ｃ）は第２の可動装飾部材及び第２の駆動機構の動作説明図であり、図９（ａ）（ｂ）及び（ｃ）は第２の可動装飾部材の伸縮動作を示す斜視図であり、図１０（ａ）（ｂ）及び（ｃ）は各可動装飾小片の構成を示す説明図である。
第２の可動装飾部材６０は、主装飾部材３２を間に挟んで内外径方向へ進退自在に支持された３つ以上の第２分割可動装飾片（本例では、４つの分割可動装飾片６１）と、各分割可動装飾片（第２分割可動装飾片）６１を進退させる第２の駆動機構７０と、分割可動装飾片６１及び第２の駆動機構７０を支持する支持部材としての遊技盤３と、から構成されている。各分割可動装飾片６１は、同等の構成を備えている。
第２の駆動機構７０は、各分割可動装飾片（第２分割可動装飾片）６１から突出したピン６２を嵌合して内外径方向へガイドするために遊技盤（支持部材）３に形成された４本のガイドスリット７１と、各分割可動装飾片６１から突設された他のピン６３に遊嵌する長穴７２ａを一端部に有したリンク片７２と、リンク片７２の他端部を回動自在に軸支するために遊技盤３に設けた軸支部７２ｂと、リンク片７２の軸支部７２ｂ側に一体化されたギヤ部材７３と、図示しない駆動源（モータ）により回転駆動されギヤ部材７３と噛合する駆動ギヤ７４と、を備えている。
互いに噛合する２つの駆動ギヤ７４のうちの一方をモータにより回転駆動することによりこれらと噛合した各ギヤ部材７３が回動し、各ギヤ部材７３と一体化されたリンク片７２は軸支部７２ｂを中心として揺動する。各リンク片７２の長穴７２ａに嵌合したピン６３は、各分割可動装飾片６１を構成する可動装飾小片６１Ａ、６１Ｂ、６１Ｃの一つ（本例では、６１Ａ）に固定されており、リンク片７２の揺動により各可動装飾小片を伸縮動作させることができる。
【００１５】
本例では、駆動ギヤ７４から一体的に延びるアーム７５を図示しないモータ、或いはソレノイドにより上下方向に回動させることにより、駆動ギヤ７４を回動させる。
各分割可動装飾片（第２分割可動装飾片）６１は、互いに相対動作可能、且つ分離不能な状態で係合し合った複数個の可動装飾小片６１Ａ、６１Ｂ、６１Ｃから成り、各可動装飾小片６１Ａ、６１Ｂ、６１Ｃから夫々突設したピン６２をガイドスリット７１内に嵌合し、最内径側に位置する可動装飾小片６１Ａから突設した他のピン６３をリンク片７２の長穴７２ａに遊嵌し、最内径側の可動装飾小片６１Ａの進退動作に他の可動装飾小片６１Ａ、６１Ｂ、６１Ｃを連動させるように構成している。可動装飾小片６１Ａ、６１Ｂ、６１Ｃは、図８（ａ）、図９（ａ）に示した展開状態から、図８（ｂ）、図９（ｂ）の中間形態を経て、図８（ｃ）、図９（ｃ）に示した収縮状態に移行する。
可動装飾小片６１Ａ、６１Ｂ、６１Ｃは、夫々から突設したピン６２によってガイドスリット７１に嵌合しているため、夫々ガイドスリット７１に沿って対角線方向へ進退する一方で、各可動装飾小片６１Ａ、６１Ｂ、６１Ｃの端縁に設けた各凸壁６４同志を係合させることにより、リンク片７２によって直接駆動される可動装飾小片６１Ａの進退動作に連動して他の可動装飾小片６１Ｂ、６１Ｃが内外径方向へ進退するように構成されている。
【００１６】
図６（ａ）に示したように分割可動装飾片６１が展開状態にあるときには、第２の駆動機構７０は図８（ａ）に示した状態にあり、各可動装飾小片６１Ａ、６１Ｂ、６１Ｃは展開した状態となる。図８（ａ）の展開状態にある駆動ギヤ７４を矢印で示す方向へ回動させると、ギヤ部材７３と一体のリンク片７２が軸支部７２ｂを中心として時計回り方向へ揺動し、ピン６３を介して可動装飾小片６１Ａを外径方向へ移動させる。可動装飾小片６１Ａが外径方向へ移動する過程で、可動装飾小片６１Ａに設けた凸壁６４が可動装飾小片６１Ｂに設けた凸壁６４と当接するため、可動装飾小片６１Ｂが外径方向へ押圧され、更に可動装飾小片６１Ｂに設けた凸壁６４が可動装飾小片６１Ｃに設けた凸壁６４と当接するため、可動装飾小片６１Ｃが外径方向へ押圧されて、図８（ｂ）の状態を経て（ｃ）の収縮状態に移行する。
図８（ｃ）の収縮状態にある可動装飾小片を（ａ）の展開状態に移行させる場合には上記と逆の手順により展開への動作が行われる。
【００１７】
以上のように本発明では、装飾体を、主装飾部材と、主装飾部材の外径方向に配置された少なくとも一つの可動装飾部材と、を備え、可動装飾部材は、少なくとも２つの分割可動装飾片を備え、各分割可動装飾片は前記主装飾部材の外径方向へ退避した離間位置と、該離間位置から内径側に移動して該主装飾部材に近接した近接位置との間を進退することにより、装飾体ユニットの全体形状に大きな変化を与えることができるので、遊技内容に著しい変化をもたらし、遊技者が退屈感を抱くことを防止できる。
なお、パチンコ遊技機の他の詳細な構成については図示説明していないが、本願発明の技術的範囲中にパチンコ遊技機、及び遊技盤が含まれることに疑いがない。
【図面の簡単な説明】
【００１８】
【図１】本発明の実施形態に係るパチンコ遊技機の一例を示した全体正面図である。
【図２】（ａ）及び（ｂ）は可動役物が閉止した状態、及び開放した状態を夫々示す正面図である。
【図３】（ａ）及び（ｂ）は本発明の一実施形態に係る装飾体ユニットの全体構成を示す斜視透視図、及び装飾体ユニットの側面図である。
【図４】（ａ）及び（ｂ）は本発明の一実施形態に係る装飾体ユニットの構成及び動作説明図である。
【図５】本発明の第１の駆動機構の説明図である。
【図６】（ａ）及び（ｂ）は第２の可動装飾部材の閉止状態、及び開放状態を示す正面図である。
【図７】（ａ）及び（ｂ）は第２の可動装飾部材の閉止状態、及び開放状態を示す背面図である。
【図８】（ａ）（ｂ）及び（ｃ）は第２の可動装飾部材及び第２の駆動機構の動作説明図である。
【図９】（ａ）（ｂ）及び（ｃ）は第２の可動装飾部材の伸縮動作を示す斜視図である。
【図１０】（ａ）（ｂ）及び（ｃ）は各可動装飾小片の構成を示す説明図である。
【符号の説明】
【００１９】
１…パチンコ遊技機、２…枠、３…遊技盤、３Ａ…スリット、３ａ…遊技領域、４…皿部、５…発射レバー、６…開口部、７…画像表示装置、８…可変入賞装置、９…ステージ部、１１…始動入賞口、１３…ゲート、１４…大入賞口、１５…アウト口、２０…可動役物、２１…開閉部材、２２…開閉部材、３０…装飾体ユニット、３１…装飾体、３２…主装飾部材、４０…可動装飾部材、４１Ａ…台１分割可動装飾片、４１Ｂ…第１分割可動装飾片、４５Ａ…支持部材、４５Ａ、４５Ｂ…支持部材、４５Ａ｀、４５Ｂ｀…ピン、５０…第１の駆動機構、５１…ラックギヤ、５２…ラックギヤ、５４…ピニオンギヤ、６０…可動装飾部材、６１…第２分割可動装飾片、６１Ａ、６１Ｂ、６１Ｃ…可動装飾小片、６２…ピン、６３…ピン、６４…凸壁、７０…第２の駆動機構、７１…ガイドスリット、７２…リンク片、７２ａ…長穴、７２ｂ…軸支部、７３…ギヤ部材、７４…駆動ギヤ、７５…アーム
【図１】
2010022433.tif 000003
【図２】
2010022433.tif 000004
【図３】
2010022433.tif 000005
【図４】
2010022433.tif 000006
【図５】
2010022433.tif 000007
【図６】
2010022433.tif 000008
【図７】
2010022433.tif 000009
【図８】
2010022433.tif 000010
【図９】
2010022433.tif 000011
【図１０】
2010022433.tif 000012